(57)【特許請求の範囲】
【請求項１】
アクセス端末においてハンドオフ決定をする方法であって、
アタッチメントポイントから電力参照信号を受信することと、ここで、前記電力参照信号は、複数の異なるキャリアに対応する電力参照信号と、異なる既知の電力レベルで、異なるアタッチメントポイントから送信されたキャリアに対応する前記電力参照信号の少なくともいくつかとを含む、
キャリア毎に、最良の接続を確立することができるアタッチメントポイントを識別することと、ここで、前記キャリア毎に、最良の接続を確立することができるアタッチメントポイントを識別することは、前記異なるアタッチメントポイントから受信された前記電力参照信号の強さ及び異なるアタッチメントポイントに対応する既知の送信電力レベル間の相違の関数としてアタッチメントポイントを選択することを含む、
第１の関数を用いて、第１のアタッチメントポイントに対応する現在の接続に対応するメトリックを示す第１のサービスレベルを計算することと、
前記第１の関数とは異なる第２の関数を用いて、第２のアタッチメントポイントに対応する代わりの接続に対応するメトリックを示す第２のサービスレベルを計算することと、
メトリックを示す前記第１及び第２のサービスレベルに基づいてハンドオフ決定をすることと
を具備する方法。
【請求項２】
メトリックを示す前記第１及び第２のサービスレベルを計算することは、それぞれ前記第１及び第２のアタッチメントポイントに対応するローディングファクタ情報の関数として実行される、請求項１に記載の方法。
【請求項３】
メトリックを示す前記第２のサービスレベルを計算するために用いられる前記第２の関数は、前記第２のアタッチメントポイントに対するハンドオフが生じる場合に前記第２のアタッチメントポイント上に置かれる付加的なロードに対応する係数を含む、請求項２に記載の方法。
【請求項４】
前記第２のアタッチメントポイントは、前記最良の接続を少なくとも１つのキャリアのために確立することができる識別されたアタッチメントポイントである、請求項１に記載の方法。
【請求項５】
キャリアに対応する前記電力参照信号は、同じ電力レベルで送信され、前記最良の接続を確立することができる前記アタッチメントポイントを識別することは、前記キャリアに対応する最も強い電力参照レベル信号が受信された前記アタッチメントポイントを選択することを含む、請求項１に記載の方法。
【請求項６】
電力参照レベル信号が受信された各々のキャリアに対して、メトリックを示すサービスレベルは、前記最良の接続を有することとして識別された前記対応するアタッチメントポイントのために計算される、請求項４に記載の方法。
【請求項７】
メトリックを示すサービスレベルは、前記最良の接続を有することとして識別されないアタッチメントポイントのために計算されない、請求項６に記載の方法。
【請求項８】
前記ローディングファクタ情報は、前記対応する接続を用いて多数のユーザを示す、請求項３に記載の方法。
【請求項９】
前記ローディングファクタ情報は、前記アタッチメントポイントの総リンク共有重みを含む、請求項３に記載の方法。
【請求項１０】
前記アタッチメントポイントの前記総リンク共有重みは、前記アタッチメントポイントを用いるユーザのリンク共有重みの合計であり、
前記第１及び第２の関数は、ハンドオフ決定がされている前記デバイスに対応するリンク共有重みの関数である、請求項９に記載の方法。
【請求項１１】
アタッチメントポイントから電力参照信号を受信するための無線受信機モジュールと、ここで、前記電力参照信号は、複数の異なるキャリアに対応する電力参照信号と、異なる既知の電力レベルで、異なるアタッチメントポイントから送信されたキャリアに対応する前記電力参照信号の少なくともいくつかとを含む、
キャリア毎に、対応するキャリアを用いて最良の接続を確立することができる前記アタッチメントポイントを識別するための最良の接続識別モジュールと、ここで、前記最良の接続識別モジュールは、前記アタッチメントポイントから受信された前記電力参照レベル信号の強さ及び異なるアタッチメントポイントに対応する既知の送信電力レベルの間の相違の関数として前記アタッチメントポイントを選択するための受信された電力ベースの選択サブモジュールを含む、
第１の関数を用いて、第１のアタッチメントポイントに対応する現在の接続に対応するメトリックを示す第１のサービスレベルを計算するためのメトリックを示す第１のサービスレベル計算モジュールと、
前記第１の関数とは異なる第２の関数を用いて、第２のアタッチメントポイントに対応する代わりの接続に対応するメトリックを示す第２のサービスレベルを計算するためのメトリックを示す第２のサービスレベル計算モジュールと、
メトリックを示す前記第１及び第２のサービスレベルに基づいてハンドオフ決定をするためのハンドオフ決定モジュールと
を具備するアクセス端末。
【請求項１２】
メトリックを示す前記第１のサービスレベル計算モジュールは、前記第１のアタッチメントポイントに対応するローディングファクタ情報の関数としてメトリックを示す前記第１のサービスレベルを計算し、
メトリックを示す前記第２のサービスレベル計算モジュールは、前記第２のアタッチメントポイントに対応するローディングファクタ情報の関数としてメトリックを示す第２のサービスレベルを計算する
請求項１１に記載のアクセス端末。
【請求項１３】
メトリックを示す前記第２のサービスレベルを計算するために用いられる前記第２の関数は、前記第２のアタッチメントポイントに対するハンドオフが生じる場合に前記第２のアタッチメントポイント上に置かれる付加的なロードに対応する係数を含む、請求項１２に記載のアクセス端末。
【請求項１４】
前記第２のアタッチメントポイントは、前記最良の接続を少なくとも１つのキャリアのために確立することができる識別されたアタッチメントポイントである、請求項１１に記載のアクセス端末。
【請求項１５】
キャリアに対応する前記電力参照信号は、前記同じ電力レベルで送信され、
前記最良の接続識別モジュールは、前記キャリアに対応する最も強い電力参照レベル信号が受信された前記アタッチメントポイントを選択するための受信された電力ベースの選択サブモジュールを含む、
請求項１１に記載のアクセス端末。
【請求項１６】
電力参照レベル信号が受信された各々のキャリアに対して、メトリックを示す前記第１のサービスレベル計算モジュール及びメトリックを示す前記第２のサービス計算モジュールの少なくとも１つは、前記最良の接続を有することとして識別された前記対応するアタッチメントポイントのためにメトリックを示すサービスレベルを計算する、請求項１１に記載のアクセス端末。
【請求項１７】
メトリックを示す前記第２のサービスレベル計算モジュールは、前記最良の接続を有することとして識別されないアタッチメントポイントのためにメトリックを示すサービスレベルを計算しない、請求項１６に記載のアクセス端末。
【請求項１８】
前記ローディングファクタ情報は、前記対応する接続を用いる多数のユーザを示し、
前記アクセス端末は、受信されたブロードキャスト信号からローディングファクタ情報を回復するためのローディングファクタ回復モジュールを更に具備する、
請求項１３に記載のアクセス端末。
【請求項１９】
前記ローディングファクタ情報は、前記アタッチメントポイントの総リンク共有重みを示し、
前記アクセス端末は、受信されたブロードキャスト信号からローディングファクタ情報を回復するためのローディングファクタ回復モジュールを更に具備する、
請求項１３に記載のアクセス端末。
【請求項２０】
前記第１及び第２の関数は、ハンドオフ決定がされている前記デバイスに対応するリンク共通重みの関数である、請求項１９に記載のアクセス端末。
【請求項２１】
アタッチメントポイントから電力参照信号を受信するための無線受信機手段と、ここで、前記電力参照信号は、複数の異なるキャリアに対応する電力参照信号と、異なる既知の電力レベルで、異なるアタッチメントポイントから送信されたキャリアに対応する前記電力参照信号の少なくともいくつかとを含む、
キャリア毎に、対応するキャリアを用いて最良の接続を確立することができる前記アタッチメントポイントを識別するための最良の接続識別手段と、ここで、前記最良の接続識別手段は、前記アタッチメントポイントから受信された前記電力参照レベル信号の強さ及び異なるアタッチメントポイントに対応する既知の送信電力レベルの間の相違の関数として前記アタッチメントポイントを選択するための受信された電力ベースの選択手段を含む、
第１の関数を用いて、第１のアタッチメントポイントに対応する現在の接続に対応するメトリックを示す第１のサービスレベルを計算するためのメトリックを示す第１のサービスレベル計算手段と、
前記第１の関数とは異なる第２の関数を用いて、第２のアタッチメントポイントに対応する代わりの接続に対応するメトリックを示す第２のサービスレベルを計算するためのメトリックを示す第２のサービスレベル計算手段と、
メトリックを示す第１及び第２のサービスレベルに基づいてハンドオフ決定をするためのハンドオフ決定手段と
を具備するアクセス端末。
【請求項２２】
メトリックを示す前記第１のサービスレベル計算手段は、前記第１のアタッチメントポイントに対応するローディングファクタ情報の関数としてメトリックを示す前記第１のサービスレベルを計算し、
メトリックを示す前記第２のサービスレベルは、前記第２のアタッチメントポイントに対応するローディングファクタ情報の関数としてメトリックを示す前記第２のサービスレベルを計算する、
請求項２１に記載のアクセス端末。
【請求項２３】
メトリックを示す前記第２のサービスレベルを計算するために用いられる前記第２の関数は、前記第２のアタッチメントポイントに対するハンドオフが生じる場合に前記第２のアタッチメントポイント上に置かれる付加的なロードに対応する係数を含む、請求項２２に記載のアクセス端末。
【請求項２４】
前記第２のアタッチメントポイントは、前記最良の接続が少なくとも１つのキャリアのために確立されることができる識別されたアタッチメントポイントである、請求項２１に記載のアクセス端末。
【請求項２５】
コンピュータに、アタッチメントポイントから電力参照信号を受信させるためのコードと、ここで、前記電力参照信号は、複数の異なるキャリアに対応する電力参照信号と、異なる既知の電力レベルで、異なるアタッチメントポイントから送信されたキャリアに対応する前記電力参照信号の少なくともいくつかとを含む、
コンピュータに、キャリア毎に、最良の接続を確立することができるアタッチメントポイントを識別させるためのコードと、ここで、前記コンピュータに識別させるためのコードは、コンピュータに、前記異なるアタッチメントポイントから受信された前記電力参照信号の強さ及び異なるアタッチメントポイントに対応する既知の送信電力レベルの間の相違の関数としてアタッチメントポイントを選択をさせるためのコードを含む、
コンピュータに、第１の関数を用いて、第１のアタッチメントポイントに対応する現在の接続に対応するメトリックを示す第１のサービスレベルを計算させるためのコードと、
コンピュータに、前記第１の関数とは異なる第２の関数を用いて、第２のアタッチメントポイントに対応する代わりの接続に対応するメトリックを示す第２のサービスレベルを計算させるためのコードと、
コンピュータに、メトリックを示す前記第１及び第２のサービスレベルに基づいてハンドオフ決定をさせるためのコードとを備えるコンピュータ読み取り可能記憶媒体。
【請求項２６】
メトリックを示す前記第１及び第２のサービスレベルを計算することは、それぞれ前記第１及び第２のアタッチメントポイントに対応するローディングファクタ情報の関数として実行される、請求項２５に記載のコンピュータ読み取り可能記憶媒体。
【請求項２７】
メトリックを示す前記第２のサービスレベルを計算するために用いられる前記第２の関数は、前記第２のアタッチメントポイントに対するハンドオフが生じる場合に前記第２のアタッチメントポイント上に置かれる付加的なロードに対応する係数を含む、請求項２６に記載のコンピュータ読み取り可能記憶媒体。
【請求項２８】
前記第２のアタッチメントポイントは、前記最良の接続を少なくとも１つのキャリアのために確立することができる識別されたアタッチメントポイントである、請求項２５に記載のコンピュータ読み取り可能記憶媒体。
【請求項２９】
プロセッサを備えた装置であって、
前記プロセッサは、
アタッチメントポイントから電力参照信号を受信し、ここで、前記電力参照信号は、複数の異なるキャリアに対応する電力参照信号と、異なる既知の電力レベルで、異なるアタッチメントポイントから送信されたキャリアに対応する前記電力参照信号の少なくともいくつかとを含む、
キャリア毎に、最良の接続を確立することができるアタッチメントポイントを識別し、ここで、前記プロセッサは、前記キャリア毎に、最良の接続を確立することができるアタッチメントポイントを識別するように構成される一部として、、前記異なるアタッチメントポイントから受信された前記電力参照信号の強さ及び異なるアタッチメントポイントに対応する既知の送信電力レベル間の相違の関数としてアタッチメントポイントを選択するように構成され、
第１の関数を用いて、第１のアタッチメントポイントに対応する現在の接続に対応するメトリックを示す第１のサービスレベルを計算し、
前記第１の関数とは異なる第２の関数を用いて、第２のアタッチメントポイントに対応する代わりの接続に対応するメトリックを示す第２のサービスレベルを計算し、
メトリックを示す前記第１及び第２のサービスレベルに基づいてハンドオフ決定をする
ように構成された、装置。
【請求項３０】
メトリックを示す前記第１及び第２のサービスレベルを計算することは、それぞれ前記第１及び第２のアタッチメントポイントに対応するローディングファクタ情報の関数として実行される、請求項２９に記載の装置。
【請求項３１】
メトリックを示す第２のサービスレベルを計算するために用いられる前記第２の関数は、前記第２のアタッチメントポイントに対するハンドオフが生じる場合に前記第２のアタッチメントポイント上に置かれる付加的なロードに対応する係数を含む、請求項３０に記載の装置。
【請求項３２】
前記第２のアタッチメントポイントは、前記最良の接続を少なくとも１つのキャリアのために確立することができる識別されたアタッチメントポイントである、請求項２９に記載の装置。
【発明の詳細な説明】
【関連出願】
【０００１】
本出願は、２００８年２月７日出願の米国仮出願Ｓ．Ｎ．６１／０２６，９８０の利益を要求する。上記の識別された特許出願は、これによってそっくりそのまま言及により明確に組み込まれる。
【技術分野】
【０００２】
様々な態様は、無線通信に関し、特に、メトリックを示すサービスレベルの関数としてハンドオフ決定をするための方法及び装置に関する。
【背景技術】
【０００３】
マルチキャリア配備の無線通信システムにおいて、多数の異なる基地局アタッチメントポイントは、アクセス端末に同時で利用可能になるかもしれない。その異なる利用可能な基地局アタッチメントポイントのいくつかは、異なるキャリアに対応するかもしれない。アクセス端末及び異なる利用可能なアタッチメントポイントの間の通信能力は、例えば、アクセス端末位置、送信信号の強さ、チャネル利得、干渉、ノイズ等の関数のように、異なる時で異なるアタッチメントポイントに対して異なることを予期されることができる。更に、アタッチメントポイントローディング条件は、そのシステムの全体にわたって変わることを予期されることができる。
【０００４】
スループットを最大限にし、ユーザの経験を高めるために、多数のキャリア及び多数の代わりのアタッチメントポイントを含むシステムの中に利用可能なエアーリンク資源を効率的に利用することができることが望ましい。このようなシステムにおいてロードバランスは、重要な考察である。マルチキャリアにおいてロードバランスを促進するという要求がハンドオフメカニズムに存在する。ロードバランスに対する集中型システム制御ノードアプローチは、例えばシステムアーキテクチャのために、制御信号オーバヘッド及び／または制御信号遅延を実現するために実際的または効率的でないかもしれない。
【０００５】
モバイルアクセス端末は、潜在的な代わりのアタッチメントポイントに関してその現在のチャネル条件を評価するために最良の状況であることができる。上記の議論に基づいて、マルチキャリア無線通信システムにおいてロードバランスを促進する新しいアクセス端末に基づいたハンドオフ決定方法及び装置の必要がある。更に、ロードバランスを維持する安定性は、通信システムにおいて別の重要な考察である。いずれかの新しいアクセス端末に基づいたハンドオフ方法及び装置が更にシステムの安定性に寄与する技術を使えば、それは有益であろう。
【概要】
【０００６】
様々な態様は、潜在的な代わりの接続に対してとは異なって現在の接続のために計算されるメトリックを示すサービスレベル（ＳＬＩＭ）に基づいて多数の潜在的な代わりのアタッチメントポイントの間でハンドオフ決定をするアクセス端末のための方法及び装置に導かれる。いくつかの態様において、メトリックを示すサービスレベルは、受信された信号の強さ及びローディング情報の関数である。ハンドオフするかどうかに関する決定及び／または次のハンドオフを使用するためのアタッチメントポイントの選択は、計算されたＳＬＩＭの関数として実行される。
【０００７】
１つの態様において、使用するためのアタッチメントポイントの選択は、マルチステップ選択プロセスの部分である。多くのキャリアの各々のためにまず、最良の接続は、例えば、そのキャリアのために最大の決定されたＳＩＮＲとともに受信された電力参照信号に対応するアタッチメントポイントに対応する接続を識別する。それから、ＳＩＬＭは、識別された最良の接続の各々のために計算され、キャリアにつき１つのＳＬＩＭである。次に、最も高いＳＬＩＭに対応するアタッチメントポイントは、使用のために選択される。
【０００８】
このＳＬＩＭに基づいたアクセス端末ハンドオフ決定アプローチは、要求されるオーバヘッドはないが、集中型制御ノードを用いて達成されることができるものと同様にほとんど最適であるハンドオフ決定、信号遅延及び／または集中型ハンドオフ決定と関連づけられたインフラストラクチャを提供する。
【０００９】
いくつかの態様に従うと、アクセス端末におけるハンドオフ決定をする例示的な方法は、第１の関数を用いて第１のアタッチメントポイントに対応する現在の接続に対応するメトリックを示す第１のサービスレベルを計算することと、前記第１の関数とは異なる第２の関数を用いて第２のアタッチメントポイントに対応する代わりの接続に対応するメトリックを示す第２のサービスレベルを計算することと、メトリックを示す前記第１及び第２のサービスレベルに基づいてハンドオフ決定をすることとを具備する。
【００１０】
いくつかの態様に従うと、例示的なアクセス端末は、第１の関数を用いて第１のアタッチメントポイントに対応する現在の接続に対応するメトリックを示す第１のサービスレベルを計算するためのメトリックを示す第１のサービスレベル計算モジュールと、前記第１の関数とは異なる第２の関数を用いて第２のアタッチメントポイントに対応する代わりの接続に対応するメトリックを示す第２のサービスレベルを計算するためのメトリックを示す第２のサービスレベル計算モジュールと、メトリックを示す前記第１及び第２のサービスレベルに基づいてハンドオフ決定をするためのハンドオフ決定モジュールとを具備する。
【００１１】
様々な態様が上記の概要において議論されている一方、全ての態様は同じ特徴を必ずしも含まないということ及び上述された特徴のいくつかは必要でないがいくつかの態様において望ましいということは、認識されるべきである。
【図面の簡単な説明】
【００１２】
【図１】図１は、例示的な態様に従う例示的な無線通信システムの図である。
【図２】図２は、例示的な態様に従って、アクセス端末、例えばモバイルノードのような無線端末を操作する例示的な方法のフローチャートである。
【図３】図３は、例示的な態様に従って、アクセス端末、例えばモバイルノードのような無線端末においてハンドオフ決定をする例示的な方法のフローチャートである。
【図４】図４は、例示的な態様に従う、例示的なアクセス端末、例えば無線モバイルノードの図である。
【図５】図５は、メトリックを示すサービスレベルに基づいたハンドオフ方法の一例を示すために用いられる。
【図６】図６は、メトリックを示すサービスレベルに基づいたハンドオフ方法の一例を示すために用いられる。
【図７】図７は、ロード情報のために用いられる例示的な量子化器の入出力関係を示す。
【図８】図８は、１つの例示的なＳＬＩＭ関数のために用いられる近似を図表によって示す。
【図９】図９は、利用するＳＬＩＭに基づいたハンドオフは有益であるいくつかのＯＦＤＭ実施形態で使用される例示的なマルチキャリアマルチ電力レベルマルチセクタ配備計画を示す。
【詳細な説明】
【００１３】
図１は、例示的な態様に従う例示的な無線通信システム１００の図である。例示的な無線通信システム１００は、多くの基地局（基地局１ １０２、基地局２ １０４、基地局３ １０６、…基地局Ｎ １０８）及び多くの他のネットワークノード、例えばルータ（１１０，１１１）を含む。基地局（１０２，１０６，１０８）は、それぞれ、ネットワークリンク（１１８，１２２，１２４）によってネットワークノード１１０につながれている。基地局１０４は、ネットワークリンク１２０によってネットワークノード１１１につながれている。ネットワークノード（１１０，１１０）は、ネットワークリンク１２１によって互いにつながれており、それぞれ、他のネットワークノード、例えば他の基地局、ルータ、ＡＡＡノード、ホームエージェントノード等及び／またはネットワークリンク（１２６，１２７）によってインターネットとつながれている。ネットワークリンク（１１８，１２０，１２１，１２２，１２４，１２６，１２７）は、例えば光ファイバのリンクである。他のネットワークトポロジは、可能であり、他の態様におけるバックホールのネットワークの中に用いられる。
【００１４】
無線通信システム１００はまた、多くのアクセス端末（アクセス端末１ １１２、…、アクセス端末Ｎ １１４）を含む。アクセス端末は、例えばシステムの全体にわたって移動することができる無線モバイルノードのような無線端末であり、基地局のアタッチメントポイントと無線通信接続を確立し、維持する。アクセス端末１ １１２は、現在、基地局１ １１２のアタッチメントポイントと無線接続を有し、アクセス端末１ １１２は、その現在のアタッチメントポイントに対応する、及び１つ以上の代わりのアタッチメントポイントに対応するメトリックを示す計算されたサービスレベルに基づいてハンドオフ決定をする。現在のアタッチメントポイントに対してメトリックを示すサービスレベルを計算するために用いられる関数は、代わりのアタッチメントポイントに対してメトリックを示すサービスレベルを計算するために用いられる関数とは異なる。
【００１５】
各々の基地局は、１つ以上のアタッチメントポイントを含む。アタッチメントポイントは、基地局、基地局のセクタ及びキャリアの組み合わせに対応する。様々なタイプの基地局は、単一セクタ単一キャリアの基地局、単一セクタ多数キャリアの基地局、マルチセクタ単一キャリアの基地局、セクタにつき単一のキャリアを用いるマルチセクタマルチキャリアの基地局、セクタにつき１つ以上のキャリアを用いるマルチセクタマルチキャリアの基地局、及びセクタにつき多数のキャリアを用いるマルチセクタマルチキャリアの基地局を含むことが可能である。
【００１６】
図２は、例示的な態様に従って、アクセス端末、例えばモバイルノードのような無線端末を操作する例示的な方法のフローチャート２００である。フローチャート２００の例示的な方法は、アクセス端末においてハンドオフ決定をすることを含む。オペレーションは、アクセス端末が電源を入れられ、初期化されるステップ２０２において開始し、ステップ２０４及び２０６に進む。継続的に実行されるステップ２０４において、アクセス端末は、多くのアタッチメントポイントのためのローディングファクタ情報を受信する。例示的な受信されたローディングファクタ情報２０５（アタッチメントポイント１（ＬAP1）のためのローディングファクタ情報、アタッチメントポイント２（ＬAP2）のためのローディングファクタ情報、…、アタッチメントポイントＮ（ＬAPN）のためのローディングファクタ情報）は、ステップ２１２及び２１４に対する入力として後に用いられるステップ２０４の出力を表現する。アタッチメントポイントは、例えば基地局の組み合わせ、基地局のセクタ、及び基地局のセクタと関連づけられたキャリア周波数に対応する。いくつかの態様において、アタッチメントポイントのための、ローディングファクタ情報は、そのアタッチメントポイントを用いる多数のユーザを示す。いくつかの態様において、アタッチメントポイントのための、ローディングファクタ情報は、そのアタッチメントポイントの総リンク共有重みを含む。
【００１７】
ステップ２０６に戻ると、継続的に実行されるステップ２０６において、アクセス端末は、多くのアタッチメントポイントから電力参照信号を受信する。それから、ステップ２０８において、参照信号が受信された各々のアタッチメントポイントに対して、アクセス端末は、受信された電力レベル及び／または信号対干渉雑音比（ＳＩＮＲ）を決定する。オペレーションは、ステップ２０８からステップ２１０に進む。ステップ２１０において、アクセス端末は、各々のキャリアに対して、最大の決定されたＳＩＮＲを有するアタッチメントポイントを識別する。Ｍキャリア（キャリア０：ＡＰSINRMAX、キャリア１：ＡＰSINRMAX、…、キャリアＭ：ＡＰSINRMAX）に対応する最大の決定されたＳＩＮＲを有する識別されたアタッチメントポイントの例示的なリストである情報２１１は、ステップ２１０の出力およびステップ２１２及び２１４に対する入力である。
【００１８】
このように、ステップ２１０において、アクセス端末は、キャリア毎に、最良の接続が多くの代わりのキャリアの各々のために確立されることができるアタッチメントポイントを識別する。いくつかの態様において、キャリアに対応する受信された電力参照信号は、同じ電力レベルで送信され、最良の接続がキャリアのために確立されることができるアタッチメントポイントを識別することは、キャリアに対応する最も強い電力参照レベル信号が受信されたアタッチメントポイントを選択することを含む。いくつかの他の態様において、キャリアに対応する受信された電力参照信号は、異なる既知の電力レベルで送信されることができ、時々送信される。そして、最良の接続が確立されることができるアタッチメントポイントを識別することは、ＡＰから受信された電力参照レベル信号の強さ及び異なるアタッチメントポイントに対応する既知の送信電力レベルの間の相違の関数としてアタッチメントポイントを選択することを含む。
【００１９】
オペレーションは、ステップ２１０から２１２に進む。ステップ２１２において、アクセス端末は、その現在の接続のためにメトリックを示すサービスレベル（ＳＬＩＭ）を第１のＳＬＩＭ計算方法を用いて計算する。ＳＬＩＭCURRENT_CONNECTION２１３は、ステップ２１２の出力及びステップ２１６に対する入力である。オペレーションは、ステップ２１２からステップ２１４に進む。ステップ２１４において、アクセス端末は、第２の計算方法を用いて最大のＳＩＮＲを有する残存しているアタッチメントポイントの各々のためにＳＬＩＭを計算する。潜在的な代わりの接続（ＳＩＬＭALT1，ＳＩＬＭALT2，…，ＳＩＬＭALTM−1）に対する１組のＳＬＩＭＳである情報２１５は、ステップ２１４の出力及びステップ２１６に対する入力である。現在の接続のキャリアとして同じキャリアを用いる別の接続が最大のＳＩＮＲのアタッチメントポイントとして識別された場合、そのとき情報２１５は、Ｍ ＳＬＩＭを含むことができるということを注意する。ステップ２１２において用いられる第１のＳＬＩＭ計算方法は、第１の関数を使用し、ステップ２１４の第２のＳＬＩＭ計算方法は、第１の関数とは異なる第２の関数を使用する。
【００２０】
いくつかの態様において、ステップ２１２においてＳＬＩＭを計算することは、アクセス端末によって用いられている現在のアタッチメントポイントに対応するローディングファクタ情報の関数として実行される。いくつかの態様において、ステップ２１４においてＳＬＩＭを計算することは、その現在のアタッチメントポイントから興味のあるアタッチメントポイントへのアクセス端末のハンドオフが生じる場合に、付加的なロードに対応する係数及び興味のあるアタッチメントポイントに対応するローディングファクタ情報の関数として実行される。いくつかの態様において、ステップ２１２において用いられる第１の関数及びステップ２１４において用いられる第２の関数は、ハンドオフ決定がされているデバイスに対応するリンク共有重みを入力として使用する。いくつかの態様において、ステップ２１２及び２１４は、並行して実行される。
【００２１】
オペレーションは、ステップ２１４からステップ２１６に進む。ステップ２１６において、アクセス端末は、潜在的な代わりの接続に対応するＳＬＩＭ及び現在の接続のためのＳＬＩＭの中から最大のＳＬＩＭを選択する。オペレーションは、ステップ２１６からステップ２１８に進む。ステップ２１８において、アクセス端末は、ステップ２１６から選択された最大のＳＬＩＭが現在の接続とは異なる接続に対応するかどうかを考察する。選択されたＳＬＩＭの最大が現在の接続より他の接続に対応する場合、そのときオペレーションは、ステップ２１８からステップ２２０に進む。そうでなければオペレーションは、ステップ２１８から分岐点Ａ２２２に進む。
【００２２】
ステップ２２０に戻ると、ステップ２２０において、アクセス端末は、ステップ２１６の選択されたＳＬＩＭ ＭＡＸに対応するアタッチメントポイントへのハンドオフを開始する。オペレーションは、ステップ２２０から分岐点Ａ２２２に進む。オペレーションは、処理の別の繰り返しのために、分岐点Ａ２２２からステップ２１０に進む。
【００２３】
図３は、例示的な態様に従って、アクセス端末、例えばモバイルノードのような無線端末の中でハンドオフ決定をする例示的な方法のフローチャート３００である。オペレーションは、アクセス端末が電源を入れられ、初期化されるステップ３０２において開始し、ステップ３０４に進む。ステップ３０４において、アクセス端末は、アタッチメントポイントから電力参照信号を受信する。いくつかの態様において、受信された電力参照信号は、無線標識信号、例えばＯＦＤＭ無線標識信号である。いくつかの他の態様において、受信された電力参照信号は、パイロット信号、例えばＣＤＭＡパイロット信号である。オペレーションは、ステップ３０４からステップ３０６に進む。ステップ３０６において、アクセス端末は、キャリア毎に、最良の接続が対応するキャリアを用いて確立されることができるアタッチメントポイントを識別する。アタッチメントポイントは、例えば、セル、セクタ及びキャリアの組み合わせに対応するアタッチメントの基地局ポイントである。
【００２４】
いくつかの態様において、キャリアに対応する電力参照信号は、同じ電力レベルで送信され、最良の接続が確立されることができるアタッチメントポイントを識別することは、キャリアに対応する最も強い電力参照レベル信号が受信されたアタッチメントポイントを選択することを含む。いくつかの他の態様において、キャリアに対応する電力参照信号は、異なる既知の電力レベルで送信され、最良の接続が確立されることができるアタッチメントポイントを識別することは、アタッチメントポイントから受信された電力参照信号の強さ及び異なるアタッチメントポイントに対応する既知の送信電力レベルの間の相違の関数としてアタッチメントポイントを選択することを含む。
【００２５】
オペレーションは、ステップ３０６からステップ３０８及び３１０に進む。ステップ３０８及び３１０は、並行してまたは連続的に実行されることができる。ステップ３０８において、アクセス端末は、第１の関数を用いて第１のアタッチメントポイントに対応する現在の接続に対応するメトリックを示す第１のサービスレベル（ＳＬＩＭ）を計算する。ステップ３１０において、アクセス端末は、第１の関数とは異なる第２の関数を用いて第２のアタッチメントポイントに対応するメトリックを示す第２のサービスレベルを計算する。いくつかの態様において、第１及び第２のＳＬＩＭを計算することは、それぞれ、第１及び第２のアタッチメントポイントに対応するローディングファクタ情報の関数として実行される。いくつかの態様において、ローディングファクタ情報は、対応する接続を用いる多数のユーザを示す。いくつかの態様において、アタッチメントポイントに対応するローディングファクタ情報は、そのアタッチメントポイントの総リンク共有重みを含む。様々な態様において、第２のアタッチメントポイントに対するハンドオフが生じる場合、第２のＳＬＩＭを計算するために用いられる第２の関数は、第２のアタッチメントポイント上に置かれる付加的なロードに対応する係数を含む。多数の代わりのアタッチメントポイントがあるいくつかの態様において、ＳＬＩＭが、ステップ３１０において用いられるもののような第２のＳＬＩＭ関数を用いて代わりのアタッチメントポイントの各々またはいくつかのために生成されることができ、いくつかの態様においては生成されるということは認識されるべきである。いくつかの態様において、１つのＳＬＩＭは、各々の代わりのキャリアのために生成される。
【００２６】
いくつかの態様において、電力参照レベル信号が受信された各々のキャリアに対して、ＳＬＩＭは、最良の接続を有するとして識別された対応するアタッチメントポイントのために計算される。このように、ステップ３１０は、多くの異なるキャリアに各々のために、実行されることができ、時々実行される。例えば、アクセス端末が第１のアタッチメントポイントに対応する現在の接続を有するということ、及びその現在の接続がキャリアｆ１を使用するということを考察する。更に、キャリアｆ２及びｆ３がシステムにおいて利用可能であるということを考察する。アクセス端末は、現在の接続に対応する第１のＳＬＩＭを計算し、キャリアｆ２に対応する第２のＳＬＩＭ及びキャリアｆ３に対応する第３のＳＬＩＭを計算する。いくつかの態様において、ＳＬＩＭは、最良の接続を有するとして識別されないＡＰのために計算されない。例えば、上記の例を続けると、代わりのキャリアｆ２に対応する３つのアタッチメントポイントから、受信された電力参照信号、例えば無線標識が受信されるということを考察する。更に、アクセス端末が例えば決定されたＳＩＮＲの関数としてキャリアｆ２に対応する３つの受信された電力参照信号に対応する最良の接続を識別するということを考察する。キャリアｆ２のための決定された最良の接続に対して、アクセス端末は、ＳＬＩＭを決定する。しかしながら、他の２つの接続に対して、アクセス端末は、ＳＬＩＭを決定しない。
【００２７】
いくつかの態様において、ステップ３０８及び３１０の第１及び第２の関数は、ハンドオフ決定がされているデバイス、例えばアクセス端末に対応するリンク共有重みの関数である。
【００２８】
オペレーションは、ステップ３０８及びステップ３１０からステップ３１２に進む。ステップ３１２において、アクセス端末は、メトリックを示す第１及び第２のサービスレベルに基づいてハンドオフ決定をする。いくつかの態様において、ステップ３１２のハンドオフ決定は、メトリックを示す付加的なサービスレベルに基づく。例えば、３つのキャリア配備システムにおいて、ステップ３１２のハンドオフ決定は、現在のキャリアに対応するＳＬＩＭ、第１の代わりのキャリアに対応するＳＬＩＭ及び第２の代わりのキャリアに対応するＳＬＩＭに基づくことができる。オペレーションは、ステップ３１２からステップ３０４に進む。ステップ３０４では、付加的な電力参照信号が受信される。
【００２９】
図４は、例示的な態様に従う、例示的なアクセス端末４００、例えば無線モバイルノードの図である。例示的なアクセス端末４００は、様々な要素がデータ及び情報を交換することができるバス４１２によってともにつながれた無線受信機モジュール４０２、無線送信機モジュール４０４、プロセッサ４０６、ユーザＩ／Ｏデバイス４０８及びメモリ４１０を含む。
【００３０】
メモリ４１０は、ルーチン４１８及びデータ／情報４２０を含む。プロセッサ４０６、例えばＣＰＵは、アクセス端末４００の動作を制御し、方法、例えば図２のフローチャート２００または図３のフローチャート３００の方法を実現するためにメモリ４１０中のルーチン４１８を実行し、データ／情報４２０を使用する。
【００３１】
ユーザＩ／Ｏデバイス４０８は、例えばマイクロフォン、キーパッド、キーボード、スイッチ、カメラ、スピーカー、ディスプレイ等を含む。ユーザＩ／Ｏデバイス４０８は、アクセス端末４００のユーザがデータ／情報を入力する、データ／情報をアクセス出力する、及びアクセス端末４００の少なくともいくつかの機能を制御するのを可能にする。
【００３２】
無線受信機モジュール４０２、例えばＯＦＤＭ受信機は、アクセス端末４００が例えばアタッチメントポイントから信号、例えばダウンリンク信号を受信する受信アンテナ４１４とつながれる。受信された信号は、例えば電力参照信号、例えば無線標識及び／またはパイロット信号、ロードファクタ情報を通信するブロードキャスト信号、ハンドオフ信号、及びトラフィックチャネル信号を含む。情報は、無線受信機モジュール４０２によって受信された受信された電力参照信号から得られる。現在のアタッチメントポイントから受信された電力参照信号に対応するので、情報４４０は、例えば電力測量及び／またはＳＩＮＲ値が得られる。第１の代わりのアタッチメントポイントから受信された電力参照信号に対応するので、情報４４２は、例えば電力測量及び／またはＳＩＮＲ値が得られる。第Ｎの代わりのアタッチメントポイントから受信された電力参照信号に対応するので、情報４４６は、例えば電力測量及び／またはＳＩＮＲ値が得られる。
【００３３】
無線送信機モジュール４０４、例えばＯＦＤＭ送信機は、アクセス端末４００が基地局のアタッチメントポイントに信号、例えばアップリンク信号を送信する送信アンテナ４１６につながれる。アップリンク信号は、例えばハンドオフ信号及びアップリンクトラフィックチャネル信号を含む。
【００３４】
ルーチン４１８は、通信ルーチン４２２及びアクセス端末制御ルーチン４２４を含む。通信ルーチン４２２は、アクセス端末４００によって用いられる様々な通信プロトコルを実現する。アクセス端末制御ルーチン４２４は、メトリックを示す第１のサービスレベル計算モジュール４２６、メトリックを示す第２のサービスレベル計算モジュール４２８、ハンドオフ決定モジュール４３０、最良の接続識別モジュール４３２及びローディングファクタ回復モジュール４３６を含む。
【００３５】
データ／情報４２０は、現在のアタッチメントポイントを識別する情報４３８、現在のアタッチメントポイントに対応する受信された電力参照情報４４０、多くの潜在的な代わりのアタッチメントポイントに対応する受信された電力参照信号情報（第１の代わりのアタッチメントポイントに対応する受信された電力参照信号情報４４２、…、第Ｎの代わりのアタッチメントポイントに対応する受信された電力参照信号情報４４４）、現在のアタッチメントポイントに対応する回復されたローディングファクタ情報４４６、多くの潜在的な代わりのアタッチメントポイントに対応する回復されたローディングファクタ情報（第１の代わりのアタッチメントポイントに対応する回復されたローディングファクタ情報４４８、…、第Ｎの代わりのアタッチメントポイントに対応する回復されたローディングファクタ情報４５０）、多くの代わりのキャリアの各々に対応する識別された最良の接続（第１の代わりのキャリアのための識別された最良の接続（最良のアタッチメントポイント）４５２、…、第Ｍの代わりのキャリアのための識別された最良の接続（最良のアタッチメントポイント）４５４）、現在のアタッチメントポイントのためのメトリックを示す計算されたサービスレベル４５６、代わりのキャリアのためのメトリックを示す計算されたサービスレベル（第１の代わりのキャリアのためのメトリックを示す計算されたサービスレベル４５８、…、第Ｍの代わりのキャリアのためのメトリックを示す計算されたサービスレベル４６０）、ハンドオフ決定情報４６２及び多くのアタッチメントポイントのための格納された電力参照信号情報４６４を含む。
【００３６】
メトリックを示す第１のサービスレベル計算モジュール４２６は、第１の関数を用いて第１のアタッチメントポイントに対応する現在の接続に対応するメトリックを示す第１のサービスレベルを計算する。情報４５６は、モジュール４２６の出力であり、情報４３８によって識別されたアタッチメントポイントに対応する。
【００３７】
メトリックを示す第２のサービスレベル計算モジュール４２８は、第１の関数とは異なる第２の関数を用いて第２のアタッチメントポイントに対応する代わりの接続に対応する第２のサービスレベル情報メトリックを計算する。第１の代わりのキャリアに関して、情報４５８は、情報４５２に対応するモジュール４２８の出力である。別の代わりのキャリアに関して、情報４６０は、情報４５４に対応するモジュール４２８の出力である。
【００３８】
メトリックを示す第１のサービスレベル計算モジュール４２６は、現在のアタッチメントポイントに対応するローディングファクタ情報の関数としてメトリックを示す第１のサービスレベルを計算する。メトリックを示す第２のサービスレベル計算モジュール４２８は、アクセス端末の現在のアタッチメントポイントでないアタッチメントポイントに対応するローディングファクタ情報の関数としてメトリックを示す第２のサービスレベルを計算する。時々、メトリックを示す第２のサービスレベルは、異なる代わりの潜在的なキャリアに対応する多くの異なるアタッチメントポイントの各々のためにメトリックを示すサービスレベルを計算する。いくつかの態様において、現在の接続のアタッチメントポイントからメトリックを示すサービスレベルが計算されている潜在的な接続のアタッチメントポイントにアクセス端末４００のハンドオフが生じる場合、メトリックを示す第２のサービスレベル計算モジュール４２８によって用いられる関数は、メトリックを示すサービスレベルが計算されているアタッチメントポイント上に置かれる付加的なロードに対応する係数を含む。
【００３９】
いくつかの態様において、電力参照レベル信号が受信されたキャリアの各々に対して、メトリックを示す第１のサービスレベル計算モジュール４２６及びメトリックを示す第２のサービスレベル計算モジュール４２８の少なくとも１つは、最良の接続有するとして識別された対応するアタッチメントポイントのためにメトリックを示すサービスレベルを計算する。いくつかの態様において、メトリックを示す第２のサービスレベル計算モジュール４２８は、最良の接続を有するとして識別されないアタッチメントポイントのためにメトリックを示すサービスレベルを計算しない。したがって、最良の接続識別モジュール４３２は、キャリアのために多数の潜在的なアタッチメントポイントを有効に予備選択し、メトリックを示す第２のサービスレベル計算モジュール４２８が、いくつかの態様において、キャリアにつきメトリックを示すただ１つのサービスレベルを計算することを可能にする。メトリックを示す多数のサービスレベルがキャリアにつき計算された場合、このようにより処理の総計を減少させることは、そうでなければ要求されるであろう。
【００４０】
いくつかの態様において、メトリックを示す第１及び第２のサービスレベル計算モジュール（４２６，４２８）によって用いられる第１及び第２の関数は、それぞれ、アクセス端末に対応するリンク共有重みの関数である。
【００４１】
ハンドオフ決定モジュール４３０は、メトリックを示す第１のサービスレベル計算モジュール４２６及びメトリックを示す第２のサービスレベル計算モジュール４２８によって計算されたサービスレベル情報メトリックに基づいてハンドオフ決定をする。例えば、ハンドオフ決定モジュール４３０は、現在のアタッチメントポイントのためのメトリックを示す計算されたサービスレベル４５６及び代わりのキャリアに対応するメトリックスを示すサービスレベルの少なくとも１つ（第１の代わりのキャリアのためのメトリックを示す計算されたサービスレベル４５８、…、第Ｍの代わりのキャリアのためのメトリックを示す計算されたサービスレベル４６０）を使用して、ハンドオフ決定をする。いくつかの態様において、ハンドオフ決定モジュール４３０は、ハンドオフ決定をすることにおいてメトリックスを示す計算されたサービスレベル（４５６，４５８，…，４６０）の各々を使用する。ハンドオフ決定情報４６２は、ハンドオフ決定モジュール４３０の出力である。
【００４２】
ローディングファクタ回復モジュール４３６は、アタッチメントポイントから通信されたローディングファクタ情報を回復する。いくつかの態様において、基地局のアタッチメントポイントに対応するローディングファクタ情報は、ブロードキャスト信号または信号によって、例えばブロードキャストメッセージによって通信される。現在のアタッチメントポイントに対応する回復されたローディングファクタ情報４４６、第１の代わりのアタッチメントポイントに対応する回復されたローディングファクタ情報４４８、…、第Ｎの代わりのアタッチメントポイントに対応する回復されたローディングファクタ情報４５０は、ローディングファクタ回復モジュール４３６の出力である。
【００４３】
最良の接続識別モジュール４３０は、キャリア毎に、最良の接続が確立されることができるアタッチメントポイントを識別する。第１の代わりのキャリアのための識別された最良の接続（最良のアタッチメントポイント）４５２及び第Ｍの代わりのキャリアのための識別された最良の接続（最良のアタッチメントポイント）４５４は、最良の接続識別モジュール４３２の例示的な出力である。
【００４４】
最良の接続識別モジュール４３２は、受信された電力に基づいた選択サブモジュール４３４を含む。いくつかの態様、異なるアタッチメントポイントからの電力参照信号が例えば同じ電力レベルで送信されたいくつかの態様において、受信された電力に基づいた選択サブモジュール４３４は、キャリアに対応する最も強い参照信号が受信された同じキャリアに対応する多くのアタッチメントポイントの中からそのアタッチメントポイントを選択する。いくつかの態様、例えば異なるアタッチメントポイントが異なる所定の基地のレベルで電力参照信号を送信するいくつかの態様において、受信された電力に基づいた選択サブモジュール４３４は、アタッチメントポイントから受信された電力参照レベル信号の強さ及び異なるアタッチメントポイントに対応する既知の送信電力レベルの間の相違の関数として同じキャリアに対応する多くのアタッチメントポイントの中からアタッチメントポイントを選択する。多くのアタッチメントポイントのための格納された電力参照信号情報４６４は、アタッチメントポイントを電力参照信号の所定の送信電力レベルと関連づける情報及び／またはアタッチメントポイントを相対的な電力関係と関連づける情報を含む。例示的な相対的な電力関係は、電力参照信号に関して、第１のアタッチメントポイントがベースラインの電力レベルで送信するということ、第２のアタッチメントポイントが第１の電力レベルを超える電力レベル６ｄＢで送信するということ、及び第３のアタッチメントポイントが第２の電力レベルを超える電力レベル６ｄＢで送信するということである。
【００４５】
ＳＬＩＭ計算のいくつかの例は、今提供されるであろう。いくつかの態様において、ＳＬＩＭは、（ｉ）受信された電力情報、ＳＮＲ情報及び／またはＳＩＮＲ情報及び（ｉｉ）ロード情報、例えばＳＬＩＭ＝ｆ（ＳＩＮＲ，ｌｏａｄ）の関数である。いくつかのこのような態様において、ロードは、アタッチメントポイントに対応する多数のユーザによって表現される。例えば、ユーザの数は、現在の接続のアタッチメントポイントのためにアタッチメントポイント上にあることを最後に報告した。または、ユーザの数は、代わりのアタッチメントポイントのためにアタッチメントポイント＋１上にあることを最後に報告した。ユーザの関数番号としてアタッチメントポイントのためにＳＬＩＭを計算することは、スケジューラ、例えば基地局のアタッチメントポイントのスケジューラが資源の公正なスケジューリングを実行する態様においてよく作動する。
【００４６】
第１の接続に対応する現在の接続に対応するメトリックを示す第１のサービスレベルを計算するための第１の関数の例及び代わりのアタッチメントポイントに対応する代わりの接続に対応するメトリックを示す第２のサービスレベルを計算するための第２の関数の例は、今与えられるであろう。
【００４７】
自分自身の接続：
ＳＬＩＭ＝（ｌｏｇ（１＋ＳＩＮＲ））／ＮUSERS
異なる接続（可能なハンドオフターゲット）：
ＳＬＩＭ（ｌｏｇ（１＋ＳＩＮＲ））／（ＮUSERS＋１）
ここで、接続に対して、ＮUSERSは、接続のアタッチメントポイント上であることをアクセス端末に報告された、ユーザ、例えばアクティブユーザの数であり、
接続に対して、ＳＩＮＲは、アタッチメントポイントからの受信された電力参照信号に基づいてアクセス端末によって決定された信号対干渉雑音比である。
【００４８】
いくつかの態様において、アクティブユーザは、ＯｎまたはＨｏｌｄ状態のユーザであると定義されているが、スリープ状態のユーザを含まない。
【００４９】
第１の接続に接続している現在の接続に対応するメトリックを示す第１のサービスレベルを計算するための第１の関数の別の例及び代わりのアタッチメントポイントに対応する代わりの接続に対応するメトリックを示す第２のサービスレベルを計算するための第２の関数の別の例は、今与えられるであろう。
【００５０】
自分自身の接続：
ＳＬＩＭ＝（ｌｏｇ（１＋ＳＩＮＲ））／Ｎtraffic
異なる接続（可能なハンドオフターゲット）：
ＳＬＩＭ＝（ｌｏｇ（１＋ＳＩＮＲ））／（Ｎtraffic＋１）
ここで、接続に対して、Ｎtrafficは、通信されるためのトラフィックがある接続のアタッチメントポイント上であることをアクセス端末に報告された、ユーザ、例えばアクティブユーザの数であり、
接続に対して、ＳＩＮＲは、アタッチメントポイントからの受信された電力参照信号に基づいてアクセス端末によって決定された信号対干渉雑音比である。
【００５１】
いくつかの態様において、Ｎtrafficは、Ｎtrafficuplink及びＮtrafficdownlinkのうちの１つであるために更に洗練されることができる。例えば、接続のためのＮtrafficuplinkは、接続のアタッチメントポイント上であることをアクセス端末に報告された、トラフィックを有し、アップリンクトラフィックセグメントを要求しているユーザ、例えばアクティブユーザの数である。代替的に、接続のためのＮtrafficdownlinkは、アタッチメントポイントが通信するためにダウンリンクトラフィックを有する接続のアタッチメントポイント上であることをアクセス端末に報告された、ユーザ、例えばアクティブユーザの数である。
【００５２】
いくつかの態様において、ＳＬＩＭ計算におけるロードは、リンク共有重み情報によって表現される。このアプローチは、ユーザがリンク共有重み、例えば予め指定されたリンク共有重みと関連づけられるような場所で、よく作動する。各々のユーザは、リンク共有重み、Ｌiと関連づけられることができる。例えば総重み＝アタッチメントポイントのΣリンク共有重みまたはｉ＝１〜ｊに対するＴAP＝ΣＬi。異なるアタッチメントポイントは、異なる総重みを有することができ、時々有する。
【００５３】
第１の接続に接続する現在の接続に対応するメトリックを示す第１のサービスレベルを計算するための第１の関数の別の例及び代わりのアタッチメントポイントに対応する代わりの接続に対応するメトリックを示す第２のサービスレベルを計算するための第２の関数の別の例は、今与えられる。
【００５４】
自分自身の接続：
ＳＬＩＭ＝Ｌi（ｌｏｇ（１＋ＳＩＮＲ））／（ＴAP）
異なる接続（可能なハンドオフターゲット）
ＳＬＩＭ＝Ｌi（ｌｏｇ（１＋ＳＩＮＲ）／（ＴAP＋Ｌi）
ここで、接続に対応する、Ｌiは、アタッチメントポイントのためのアクセス端末のＬiである。Ｌiは、例えばユーザとの接続確立上で、アタッチメントポイントからユーザに通信されることができ、ユーザと固定されることができる。
【００５５】
ここで、ＴAPは、アクセスポイントと関連づけられた総重みであり、
接続に対して、ＳＩＮＲは、アタッチメントポイントからの受信された電力参照信号に基づいてアクセス端末によって決定された信号対干渉雑音比である。
【００５６】
様々な例において、上に示された異なるＳＬＩＭ計算は、考察中のアタッチメントポイントが現在の接続または代わりの接続に対応するかどうかに依存して実行される。現在の及び代わりの潜在的な接続のために異なるＳＬＩＭ計算を用いることによって、アクセス端末は、一度にハンドオフ決定に続いて、考察中のアタッチメントポイントで予期されたまたは評価されたローディング条件を決定すること及び考察することをよく考えることができる。ハンドオフが生じ、アクセス端末が２つのアタッチメントポイントの間で前後に速くトグルで切り替えることをハンドオフが防止する傾向があるとき、異なるＳＬＩＭ関数のこの使用はまた、システムにおいて安定性を提供する。したがって、このアプローチは、ハンドオフ変化にヒステリシスを加える傾向がある。
【００５７】
例示的なハンドオフに基づいたＳＬＩＭアプローチは、今記述されるであろう。このアプローチは、例えば図２のフローチャート２００の方法、図３のフローチャート３００の方法及び／または図４のアクセス端末４００において用いられることができる。アクセス端末は、多くのアタッチメントポイントから電力参照信号を受信する。それからアクセス端末は、受信された電力を測定し、及び／または各々の受信された電力参照信号に対応するＳＩＲ及びＳＩＮＲ、受信された電力レベルの少なくとも１つを決定する。次にアクセス端末は、各々のキャリアに対して、最良のアタッチメントポイント、例えばキャリアに対する最大のＳＩＮＲまたは最大の受信された電力に対応するキャリアのための最良のアタッチメントポイントを決定する。それから、アクセス端末は、各々のキャリアのためにＳＬＩＭ値を決定する。用いられるＳＬＩＭ計算関数は、アタッチメントポイントが現在の接続に対応するか代わりの接続に対応するかどうかに依存して異なる。それから、アクセス端末は、最大の計算されたＳＬＩＭに対応するアタッチメントポイントを使用することを選択する。選択されたアタッチメントポイントが現在の接続とは異なる場合、アクセス端末は新しいアタッチメントポイントに対するハンドオフを開始する。
【００５８】
例は、例示的なＳＬＩＭに基づいたハンドオフを示すために今提供されるであろう。アクセス端末がキャリア周波数ｆ０を使用しているアタッチメントポイント１と現在接続されており、アクセス端末がアタッチメントポイント１から電力参照信号を受信するということを考える。アクセス端末がまたその場所の付近において５つの他のアタッチメントポイント、キャリアｆ１を使用するアタッチメントポイント２、キャリアｆ１を使用するアタッチメントポイント３、キャリアｆ１を使用するアタッチメントポイント４、キャリアｆ２を使用するアタッチメントポイント５、及びキャリアｆ２を使用するアタッチメントポイント６から電力参照信号を受信するということを考える。アクセス端末は、各々の受信された電力参照信号（ＳＩＮＲAP1，ＳＩＮＲAP2，ＳＩＮＲAP3，ＳＩＮＲAP4，ＳＩＮＲAP5，ＳＩＮＲAP6）のためにＳＩＮＲを決定する。アクセス端末は、キャリアｆ０のための最大のＳＩＮＲがＳＩＮＲAP1であるということを決定する。アクセス端末は、｛ＳＩＮＲAP2ＳＩＮＲAP3，ＳＩＮＲAP4｝の組からキャリアｆ１のための最大のＳＩＮＲがＳＩＮＲAP3であることを決定する。アクセス端末は、｛ＳＩＮＲAP5ＳＩＮＲAP6｝の組からキャリアｆ２のための最大のＳＩＮＲがＳＩＮＲAP6であることを決定する。アクセス端末は、第１の関数を用いてアタッチメントポイント１のためにＳＬＩＭを計算し、アクセス端末は、第２の関数を用いてアタッチメントポイント３のためにＳＬＩＭを計算し、アクセス端末は、第２の関数を用いてアタッチメントポイント６のためにＳＬＩＭを算出する。アクセス端末は、｛ＳＩＮＲAP1，ＳＩＮＲAP3，ＳＩＮＲAP6｝から最大のＳＬＩＭがＳＩＮＲAP3であることを決定する。それゆえに、アクセス端末は、アタッチメントポイント１からアタッチメントポイント３までハンドオフを開始する。
【００５９】
ハンドオフのためのこのマルチステップアプローチは、システムにおいて安定性に寄与する。更に、公正な資源割り付け条件付きシステムに対して、このＳＬＩＭに基づいたアプローチは、ほとんど最適の性能を達成することができる。
【００６０】
図５の描画５００及び図６の描画６００は、上述された例を示すために用いられる。アクセス端末５０２は、例えば、図１のシステム１００におけるアクセス端末の中の図４のアクセス端末である。図５中のアタッチメントポイント（５０２，５０４，５０６，５０８，５１０，５１２，５１４）は、例えば、図１中に示されるような基地局の中に含まれるアタッチメントポイントである。図５において、アクセス端末５０２は、実線の矢５１６によって示されるようにアタッチメントポイント１ ５０４に現在接続されている。アクセス端末５０２は、電力参照レベル信号、例えばＯＦＤＭ無線標識信号をその付近の多くのアタッチメントポイントから受信する。より明確には、アクセス端末５０２は、電力参照レベル信号（５２０，５２４，５２８，５３２，５３６，５４０）をそれぞれアタッチメントポイント（５０４，５０６，５０８，５１０，５１２，５１４）から受信する。アクセス端末５０２はまた、ローディング情報信号（５２２，５２６，５３０，５３４，５３８，５４２）をそれぞれアタッチメントポイント（５０４，５０６，５０８，５１０，５１２，５１４）から受信する。いくつかの態様において、アタッチメントポイントは、ローディング情報がバックホールのネットワークによってアタッチメントポイントの間で交換されている状態で、自分自身のアタッチメントポイントに加えて他のアタッチメントポイントについてローディング情報を送信することができ、時々送信する。
【００６１】
アクセス端末５０２は、受信された信号の少なくともいくつかを処理し、ハンドオフ決定をする。この例において、アクセス端末５０２は、点線の矢５１８によって示されるようにアタッチメントポイント３ ５０８に対してハンドオフすることを決定する。
【００６２】
図６の描画６００は、例のための例示的なＳＬＩＭに基づいたハンドオフ方法の観点を示すために用いられる。受信された電力は、帰着する受信された電力参照レベル信号の各々（アタッチメントポイント１からの電力参照信号６０２の測定された受信された電力、アタッチメントポイント２からの電力参照信号６０４の測定された受信された電力、アタッチメントポイント３からの電力参照信号６０６の測定された受信された電力、アタッチメントポイント４からの電力参照信号６０８の測定された受信された電力、アタッチメントポイント５からの電力参照信号６１０の測定された受信された電力、アタッチメントポイント６からの電力参照信号６１２の測定された受信された電力）上で測定される。信号対干渉雑音比（アタッチメントポイント１ＳＩＮＲ６１４、アタッチメントポイント２ＳＩＮＲ６１６、アタッチメントポイント３ＳＩＮＲ６１８、アタッチメントポイント４ＳＩＮＲ６２０、アタッチメントポイント５ＳＩＮＲ６２２、アタッチメントポイント６ＳＩＮＲ６２２）は、それぞれ、得られた測定された受信された電力参照信号の各々（６０２，６０４，６０６，６０８，６１０，６１２）に対応することを決定される。
【００６３】
それから、各々のキャリアに対して最良のアタッチメントポイントが選択される。アタッチメントポイント１はキャリアｆ０を使用し、アタッチメントポイント２，３及び４はキャリアｆ１を使用し、アタッチメントポイント５及び６はキャリアｆ２を使用する。この場合において、最良のアタッチメントポイントは、最も大きなＳＩＮＲに伴うキャリアのためのアタッチメントポイントである。この例において、キャリアｆ０に対応する最大のＳＩＮＲは、ブロック６２６によって示されるようにアタッチメントポイント１ＳＩＮＲに対応する。キャリアｆ１に対応する最大のＳＩＮＲは、ブロック６２８によって示されるようにアタッチメントポイント３ＳＩＮＲに対応する。キャリアｆ２に対応する最大のＳＩＮＲは、ブロック６３０に示されるようにアタッチメントポイント６ ６３０に対応する。
【００６４】
それから、アクセス端末は、各々の識別された最大のＳＩＮＲに対応するメトリックを示すサービスレベルを計算する。ＡＰ１はアクセス端末の現在の接続であり、ＡＰ１ローディング情報を用いているので、キャリアｆ０に対してＳＬＩＭは、第１のＳＬＩＭ関数を用いてアタッチメントポイント１のために計算される。ＡＰ３はアクセス端末の現在の接続でなく、ＡＰ３ローディング情報を用いているので、キャリアｆ１に対してＳＬＩＭは、第１のＳＬＩＭ関数とは異なる第２のＳＬＩＭ関数を用いてアタッチメントポイント３のために計算される。ＡＰ６はまたアクセス端末の現在の接続でなく、ＡＰ６ローディング情報を用いているので、キャリアｆ２に対してＳＬＩＭは、第２のＳＬＩＭ関数を用いてアタッチメントポイント６のために計算される。
【００６５】
それから、アクセス端末は、最大のＳＬＩＭに対応するアタッチメントポイントを使用することを決定する。それは、この例において、偶然ＳＬＩＭ３である。そこで、アクセス端末は、ブロック６３８によって示されるようにアタッチメントポイント１からアタッチメントポイント３にハンドオフを開始する。いくつかの他の態様において、他のＳＬＩＭに基づいた基準は、ハンドオフ決定のために用いられることができる。例えば潜在的な代わりの接続のアタッチメントポイントのＳＬＩＭは、生じるべきハンドオフのための所定量だけ現在の接続のＳＬＩＭより大きくなければならない。
【００６６】
様々な観点、特徴、態様、ノード及び／またはシステムは、今記述されるであろう。以下に記述された観点及び／または特徴の１つ以上は、図１のシステム１００、フローチャート２００の方法、フローチャート３００の方法及び／または図４のアクセス端末４００において用いられることができる。アクセス端末は、時々、代替的に無線端末として言及される。
【００６７】
端末が一度に単一キャリアの使用をサポートするマルチキャリアネットワークの場合を考える。１つのこのようなシステムにおいて、端末上のハンドオフ方法論は、接続を確立するために適切なセクタ及びキャリア上で決定しなければならない。様々な観点は、このようなシステムにおいてシームレスハンドオフを可能にするメカニズムに導かれる。ハンドオフは、メトリックを示すサービスレベル（ＳＬＩＭ）と呼ばれることができるメトリックに基づく。ＳＬＩＭ計算及びシームレスハンドオフを可能にするメカニズムが記述される。シミュレーションは、提案されたＳＬＩＭに基づいたハンドオフ方法論とともに達成された端末セクタ整列の最適性を論証している。この特徴の実現は、例示的な直交周波数分割多重（ＯＦＤＭ）ネットワークにおいて記述される。
【００６８】
基地局（ＢＳ）が１つのキャリア周波数以上で送信しているマルチキャリアネットワークを考える。ＥＣＤＯ−Ｒｅｖ．Ｂに基づいているネットワークは、多数のキャリアがセクタのスループット及びユーザの経験を高めるために集められている１つのこのようなシステムである。今、無線端末（ＷＴ）がＲｅｖ．Ｂの場合と違って単一キャリアに制限されている状況を考える。これは、端末ピークスループットが単一キャリアの場合と同様に同じままであるということを暗に示す。しかしながら、セクタのスループットはまだ、配備されたキャリアの数に比例している。更に、ＷＴの容量シェアは、押し上げているユーザの経験を含む。単一キャリアに対するＷＴの能力を制限するより重要な利点は、電力消費がＲＦフロントエンドによって処理されたキャリアの数に荒く比例して上昇するマルチキャリアの有能なＷＴと違って端末の電力消費が同じままであるということである。いくつかの既存のＷＴは、ここで提案された新しいハンドオフ方法論を実現するアップグレードを通って、マルチキャリアシステムにおいてオペレーションをサポートするために修正されることができる。他の新しい無線端末は、ここで提案された新しいハンドオフ方法論に従って元来実現されることができる。
【００６９】
マルチキャリアネットワークにおいて単一キャリアのＷＴの利点を与えられると、与えられたＷＴのために適切なキャリアを選択する問題は、そのネットワークにおいてキャリアを横切ってＷＴの任意の分配に焦点をあてられるべきである。ハンドオフメカニズムは、セクタスループット及びユーザの経験において近い最適な増加を得るために適切なロードバランスを達成するこのようなシナリオにおいて記述される。
【００７０】
例示的なシステムのセットアップ及びＳＬＩＭに基づいたハンドオフ方法論は、その後に記述される。シミュレーション方法及びその結果もまた記述される。例示的なサービスの質（ＱｏＳ）−ＳＬＩＭに基づいている認識のあるハンドオフ方法論もまた記述される。ロード情報の量子化のような実現の問題点及び減少させられた計算の複雑性のためのＳＬＩＭ関数の近似もまた記述される。
【００７１】
例示的なマルチキャリアシステム中のハンドオフ及び例示的なシステムのセットアップは、今記述されるであろう。例示できなＯＦＤＭマルチキャリアシステム中のハンドオフは、基地局（ＢＳ）によるキャリア関連情報のブロードキャストによって促進される。ＢＳのブロードキャストは、セクタに特有のキャリア関連情報だけでなく、また近隣のセクタの各々からのキャリア関連情報であるかもしれない。近隣のセクタ自身のリストは、ＢＳで構築される。この例示的なＯＦＤＭネットワークにおいて集中型の基地局コントローラがないので、構築された近隣のリストは、有益であり、マルチキャリアハンドオフ方法論に利用される。
【００７２】
ＢＳによってブロードキャストされたキャリア関係情報は、キャリア同一性、キャリア電力レベル、及びキャリアロードファクタを含む。例示的なＯＦＤＭ上で、態様は、キャリア０，１及び２として識別される、３つのキャリアに対してサポートする。ＷＴは、セクタからの獲得信号（１つのこのようなＯＦＤＭ獲得信号は、無線標識、例えば単一トーンの無線標識信号と呼ばれる）の受信された電力を測定することによってセクタの強さを測定することができ、それがそのセクタ及びキャリアに接続されるべきである場合にＷＴが潜在的に経験する信号対干渉比（ＳＩＲ）を引き出すためにブロードキャストされたキャリア電力レベル情報を使用することができる。接続としてセクタ及びキャリアの与えられた組み合わせに言及することができる。その接続のための引き出されたＳＩＲが現在の接続上でＳＩＲに対する比較においてより高い場合、接続に対するハンドオフが生じる。しかしながら、あるセクタにおける複数のキャリアのそれぞれが同じ電力レベルで送信された状態で、与えられたセクタにおいてキャリアの各々上でのＳＩＲ測量は、ほとんど同一のＳＩＲに基づいた不正確なハンドオフ決定をすることであるであろう。態様において、多数のキャリアが異なる電力レベルの状態で、最も高い電力レベルのキャリアにハンドオフする場合、これは、最適でない構成に帰着するであろう。それで、いくつかの態様において、ＷＴが経験することができる潜在的なＳＩＲを越えてハンドオフ決定が考察要因を取り入れるということは重要である。
【００７３】
メトリックを示すサービスレベル（ＳＬＩＭ）として言及された、ハンドオフ決定のために用いられる例示的なメトリックは、今記述されるであろう。例示的なＯＦＤＭマルチキャリアシステム中のハンドオフは、任意の与えられたセクタ及びキャリア上でＷＴのユーザの経験を示しているＳＬＩＭまたはメトリックを示すサービスレベルとして私たちが言及するメトリックを計算するために、ブロードキャストされたキャリアロードファクタ、Ｌを考慮に入れる。ＳＬＩＭを定義するための１つの方法は、以下の通りである。
【数１】
0005657608.tif 000002
【００７４】
ここで、ＳＩＲは信号対干渉比であり、Ｌは興味のあるキャリア上のローディングのいくつかの指示である。１つの可能性は、Ｌ＝１／（１＋ＮUSER）を定義すべきである。ここで、ＮUSERは、ユーザの数である。ＮUSERにおいてカウントされたユーザは、興味のあるセクタ及びキャリア中のアクティブユーザの各々を含むことができる。
【００７５】
１つの例示的なハンドオフ方法は、今記述されるであろう。マルチキャリアの特徴のための例示的なハンドオフ方法は、以下の通り記述されることができる。
【００７６】
１．獲得信号がＷＴによって検出され、測定されることができる全てのセクタにおいて各々のキャリアのためにＳＩＲを計算する。現在の接続として同じキャリア上で異なるセクタ上でＳＩＲが現在の接続のＳＩＲより強い場合、そのときそのセクタ及びキャリアに対するハンドオフ。
【００７７】
２．キャリアの各々において最も高いＳＩＲとともにセクタのためにＳＬＩＭを計算する。異なるキャリア上でＳＬＩＭが現在の接続のＳＬＩＭより高い場合、そのセクタ及びキャリアに対するハンドオフ。
【００７８】
ハンドオフ方法は、ＷＴが与えられたキャリア上で最大の強さのセクタに接続されているということを保証する。更に、その方法は、それが最も高いＳＬＩＭを測定するキャリアにＷＴが接続されているということを保証する。そのセクタ及びキャリア上でロード（及びこのゆえにＳＬＩＭ）にかかわりなく与えられたキャリア上で最も強いセクタに接続することは、アップリンク接続性のためのＷＴ送信電力が最小限にされるということ及びＢＳでのＲｏＴ（Raise over Thermal）が安定したシステムに帰着する最小に保たれるということを保証する。
【００７９】
様々なシステムのシミュレーションは、今記述されるであろう。システムのレベルのシミュレーションは、ダウンリンクにおいてＳＬＩＭに基づいたハンドオフ方法の性能を確かめるために実行された。例示的なＳＬＩＭに基づいたハンドオフ方法を最適な経路の損失に基づいたハンドオフ方法と比較することができる。その最適な経路の損失に基づいたハンドオフ方法は、ＷＴが最小の経路の損失を有し、それからＷＴを最適性の基準に基づいてセクタ内で最適なキャリアに割り当てるセクタに対してハンドオフすることである。セクタに割り当てられたユーザは、経路の損失に基づいて命じられる。最も弱いユーザは、最も強いキャリアに割り付けられ、最も強いユーザは最も弱いキャリアに、そして、残りは、第３のキャリアに割り付けられる。最適の割り付けの境界は、合計のログの割が最大限にされるように決定される。最適な経路の損失に基づいたハンドオフ方法は、集中型コントローラを要求し、このゆえに実際的でない。
【００８０】
そのシミュレーションにおいて、各々のセクタの中に３つのキャリアがあるということが仮定される。私たちは、キャリア電力プロフィールの２つの場合を考察する。等しい電力構成において、全ての３つのキャリアは、同じ送信電力を有する。２つ目の場合において、基地局セクタに対して、異なるキャリアは異なる電力プロフィールを有し、２番目に最も強いキャリアは最も強いキャリアのそれより６ｄＢ弱く、最も弱いキャリアは最も強いキャリアより１２ｄＢ低い。以下のテーブル１は、シミュレーションの結果を示す。テーブル１は、スループットの比較を示す。カッコの中の数は、等しい電力計画と関連してスループットの増加である。
【表１】
0005657608.tif 000003
【００８１】
等しい電力の３つのキャリアの場合にとって、経路の損失に基づいたラウンドロビン割り付け及びＳＬＩＭに基づいた割り付けは、事実上同一の性能を有する。
【００８２】
マルチキャリアマルチ電力レベルの構成における３つのキャリアの場合にとって、最適な経路の損失に基づいたハンドオフは、低いＳＩＲの体制においてよりよいスループットに帰着するが、ＳＬＩＭに基づいたハンドオフは、中高ＳＩＲの体制においてよりよいスループットに帰着する。スループット性能は、低いＳＩＲの体制を除いてほとんど同一である。スループット性能に関してＳＬＩＭに基づいた割り付け計画がほとんど最適であるという結論を下すことができる。
【００８３】
等しい電力レベルのマルチキャリアＯＦＤＭ配備計画をマルチキャリアマルチ電力レベルＯＦＤＭ配備計画と比較するとき、マルチキャリアマルチ電力レベルＯＦＤＭ配備計画は、経路の損失に基づいた計画及びＳＬＩＭに基づいた計画の両方のためにセルエッジのユーザのＳＩＲを改良する。マルチキャリアＯＦＤＭ配備計画のための重要なスループット性能利得があるということがわかる。
【００８４】
ＳＬＩＭを用いるサービスの質（ＱｏＳ）の認識のあるハンドオフは、今記述される。上で議論されたハンドオフアルゴリズムは、単にベストエフォートトラフィックが存在すれば合理的に実行される。このセクションにおいて、サービスの質（ＱｏＳ）トラフィックを扱うためにＳＬＩＭに基づいたハンドオフ方法論を拡張するためのアプローチが記述される。議論を単純にしておくためには、固定された最小の割合であるべきＱｏＳの基準を考察する。提案されたフレームワークは、パケット遅延を含む他のＱｏＳパラメータに拡張されることができる。ユーザは、ＱｏＳトラフィックのみを有するＱｏＳユーザ（ＱＵ）と、ベストエフォートトラフィックのみを有するベストエフォートユーザにグループ化される。提案されたフレームワークは、混合のトラフィックを有するユーザを扱うために拡張されることができる。ハンドオフ方法は、ＱｏＳ基準がＱｏＳユーザのために満たされるということを保証しようとすべきである。
【００８５】
この拡張の後ろの案内する原理は、スケジューラがＢＥＵの上位にＱＵを優先させて厳密に資源を割り付けるということである。したがって、ＱＵのハンドオフ決定は、ＱｏＳサポートのために現在消費された時間周波数資源の断片への視程に基づくことができる。他方では、ＢＥＵのハンドオフ決定は、資源が共有されなければならない他のＢＥＵの数への視程に基づくことができる。
【００８６】
例示的なハンドオフ方法を記述するために、私たちは以下の表記法を使用する。Ｆに非ＱｏＳ目的のために用いられる時間周波数資源の断片（またはＯＦＤＭタイルまたはＯＦＤＭトーン記号）、すなわち、ＢＥＵに仕えるために用いられるものを加えた用いられていない資源を示させる。ＮBEU及びＮQUをそれぞれＢＥＵ及びＱＵの数にさせ、ＲQUをＱＵのための最小割合要求（ＱＵの各々が有する同じ割合要求）にさせ、ＢＷは、全体の帯域幅である。今、任意のＱＵiに対して、
【数２】
0005657608.tif 000004
【００８７】
が現在の接続上でユーザによって用いられる資源の断片であるということを注意する。そのとき、
【数３】
0005657608.tif 000005
【００８８】
ということをわかることは容易である。ここで、ＳQUは、ＱｏＳユーザの組である。
【００８９】
私たちのＱｏｓの認識のあるセットアップにおいて、ＮBEUと一緒にこのＦは、キャリアロード情報としてＷＴに送信される。（１／（１＋ＮUSERS）がロード情報として送信された場合、これがロードの以前に示された定義とは逸脱するということを注意する。）私たちは、ＱＵのためのハンドオフ方法論をまず記述する。各々のＱＵiは、そのＱｏＳ要求をサポートすることができる実現可能な接続の組Ａiを形成する。より形式的に、
【数４】
0005657608.tif 000006
【００９０】
であれば接続jは、Ａiに属する。ここで、それが接続j上であるべきである場合、ＳＩＲijは、ＱＵによって経験されたＳＩＲである。次に、Ａi中の各々の接続に対して、ＱＵが接続すべきである場合、私たちは、ベストエフォートトラフィック性能の指示としてＳＬＩＭQUを計算する。
【数５】
0005657608.tif 000007
【００９１】
ＱＵのためのハンドオフ方法論は、ＳＬＩＭ＝ＳＬＩＭQUとともに前に記述された通りである。ＳＬＩＭBEUによって示されるＢＥＵのためのＳＬＩＭは、
【数６】
0005657608.tif 000008
【００９２】
として計算される。
【００９３】
ＢＥＵが与えられた接続に対してハンドオフすべきである場合、ＳＬＩＭBEUは、ベストエフォートトラフィック性能の指示である。ＢＥＵのためのハンドオフアルゴリズムは、ＳＬＩＭ＝ＳＬＩＭBEUとともに前に記述された通りである。
【００９４】
シミュレーションは、記述されたＱｏＳ意識ハンドオフを評価するために実行された。そのシミュレーションにおいて、ＱＵの数に対するＢＥＵの数の割合は、２：１である。シミュレーション結果は、前に示されたＱｏＳでない場合に非常に似ている。言い換えると、ＱｏＳの認識のある計画は、ユーザのＱｏＳ要求をサポートすることができるセクタ／キャリアのペアにＱＵが接続するということを保証するだけでなく、総合体系のスループットにおいて低下を引き起こすことなく、そうする。
【００９５】
様々な実現の問題点は、キャリアロードの量子化を含めて今記述される。ロード情報は、時間周波数資源の断片の指示であり、メトリック計算及びこのゆえにハンドオフ方法論の性能に影響を及ぼす。１つの態様において、有限ビットを用いる一様でない量子化は、オーバヘッドを伝達することを減少させることを実現する。具体的には、それは、指数目盛、すなわち、２-nの型において量子化される。例えば、３ビットを用いるとき、ロード情報は、以下の数の１つに対して量子化される。
【００９６】
｛２-7，２-6，２-5，２-4，２-3，２-2，２-1，２-0｝
＝｛０．００７８１２５，０．０１５６２５，０．０３１２５，０．０６２５，０．１２５，０．２５，０．５，１｝
量子化器の入出力関係は、図７の描画７００中に示される。
【００９７】
シミュレーションから、ロード情報を表現するために３ビット未満を使用することは、性能を著しく劣化するということが観測された。したがって、様々な態様において、少なくとも３ビットは、ロード情報を表現するために用いられる。
【００９８】
いくつかの態様において用いられるＳＬＩＭ関数の近似は、今記述されるであろう。ＳＬＩＭ計算において、１つの態様において、それがｄＢで与えられているので、私たちは、ＳＩＲを均等目盛に変換する。ｄＢから均等目盛に変換することは、ＷＴにおいて高価な計算であるので、私たちは、ＳＩＲの目盛変換をせずにするために以下の近似を使用する。
【数７】
0005657608.tif 000009
【数８】
0005657608.tif 000010
【数９】
0005657608.tif 000011
【数１０】
0005657608.tif 000012
【００９９】
図８の描画８００は、図表によって近似を示す。
【０１００】
マルチキャリアシステムのためのハンドオフ方法論は、システムのスループットを最大限にするために適切なロードバランスを達成するために記述されている。ハンドオフ方法論は、ローディング情報をＳＩＲによって表現される信号の質と組み合わせるメトリックを示すサービスレベル（ＳＬＩＭ）と呼ばれるメトリックを使用する。ここで発展した考えは、ＷＴが単一のチャネルに制限される任意のマルチキャリアまたはマルチチャネルに適用することができる。特に、例えば８０２．１１のような様々なＯＦＤＭ計画において、アクセスポイントは、オーバーラップしないチャネルと同じ程度に配備することができ、ＷＴハンドオフ方法論は、ここで配備されたフレームワークによって運転されることができる。ここで記述された方法及び装置はまた、アクセスポイント、例えば基地局が３つのオーバーラップしないチャネル以上を配備するシステムにおいて有益である。
【０１０１】
以下は、シミュレーションのための基本仮定である。
【０１０２】
セルのレイアウト及び構成
・六角形のグリッドの１９セルのラップアラウンドレイアウト：内側のリングに割り付けられたユーザの統計値のみが、例示的なマルチキャリアマルチ電力レベルＯＦＤＭ配備計画のために不完全なラップアラウンド構成を最小限にする目的で考えられる。
【０１０３】
・１つのセルにつき３つのセクタ
・セルからセルの距離：１ｋｍ
・モバイル端末及びセルサイトの間の最小の距離：３５ｍ
アンテナ構成
・３ｄＢ遮断角度：∠３ｄＢ＝６５°
・前後の損失：Ａｍ＝３２ｄＢ
・アンテナパターン
【数１１】
0005657608.tif 000013
【０１０４】
・アンテナ高
ＢＳ：ｈBS＝３２ｍ
ＭＴ：ｈMT＝１．５ｍ
無線構成
・キャリア周波数；ｆc＝４５０ＭＨｚ
・１つのキャリアにつきＢＷ：ＢＷ＝１１３ｘ１１．２５ｋＨｚ＝１．２７１２５０ＭＨｚ
・キャリアの数：Ｎ＝３（等しい電力またはマルチ電力レベル）
等しい電力構成において、全てのキャリアの電力は同一である。
【０１０５】
マルチ電力レベル構成において最も強いキャリアの電力は２番目に強いキャリアのより６ｄＢ高く、最も弱いキャリアの電力は２番目に強いキャリアより６ｄＢ低い。
【０１０６】
伝播
・距離依存の経路の損失
【数１２】
0005657608.tif 000014
【０１０７】
・シャドウイングでない
モバイル端末構成
・モバイル端末の数：平均して１つのセクタにつき６０ユーザ
・モバイル端末は、セルの半径範囲内に入れられ、各々のセル内で（ｒ2に関して）均等に分配される。
【０１０８】
ＳＩＲの導出
・干渉制限されたシナリオ（背景雑音＝０）
・セクタ／キャリアｋに接続された時のＳＩＲ：
【数１３】
0005657608.tif 000015
【０１０９】
ここで、ＰＬは、均等目盛における経路の損失である。
【０１１０】
スループット計算
・スループット計算は、ガウスチャネルのためのシャノンの容量の上の方の限界に基づく。
【０１１１】
・私たちは、資源が同じセクタ／キャリア内でユーザに平等に割り付けられるということを仮定する。したがって、セクタ／キャリアｋにおけるユーザｎのためのスループットは、以下のように計算される。
【数１４】
0005657608.tif 000016
【０１１２】
ここで、ＮUSERS,kは、セクタ／キャリアｋにおけるユーザの数である。
【０１１３】
図９の描画９００は、いくつかのＯＦＤＭの態様において用いられる例示的なマルチキャリアマルチ電力レベルマルチセクタ配備計画を示す。この計画においてめいめいに３つのセクタのセルがあり、各々のセクタは３つのアタッチメントポイントを有する。１つのアタッチメントポイントは各々のセクタについて各々のキャリア（ｆ１，ｆ２，ｆ３）に対応する。いくつかのこのような態様において、９つのアタッチメントポイントは、単一の基地局の部分であり、その一方で他の態様において、各々のアタッチメントポイントまたは多数のアタッチメントポイントは、基地局にグループ化されることができる。
【０１１４】
図９の例においては、３つのタイプのセルがある。第１のタイプのセルにおいて、キャリア周波数ｆ１は、高い電力レベルと関連づけられており、キャリア周波数ｆ３は、中間の電力レベルと関連づけられており、キャリア周波数ｆ２は、低い電力レベルと関連づけられている。第２のタイプのセルにおいて、キャリア周波数ｆ３は、高い電力レベルと関連づけられており、キャリア周波数ｆ２は、中間の電力レベルと関連づけられており、キャリア周波数ｆ１は、低い電力レベルと関連づけられている。第３のタイプのセルにおいて、キャリア周波数ｆ２は、高い電力レベルと関連づけられており、キャリア周波数ｆ１は、中間の電力レベルと関連づけられており、キャリア周波数ｆ３は、低い電力レベルと関連づけられている。例示的なセル９０２は、第１のタイプのセルである。例示的なセル９０４は、第２のタイプのセルである。例示的なセル９０６は、第３のタイプのセルである。
【０１１５】
様々な態様の技術は、ソフトウェア、ハードウェア及び／またはソフトウェア及びハードウェアの組み合わせを用いて実現されることができる。様々な態様は、装置、例えばモバイルアクセス端末のようなモバイルノード、１つ以上のアタッチメントポイントを含む基地局、及び／または通信システムに導かれる。様々な態様なまた、方法、例えばモバイルノードを制御する方法及び／または操作する方法、基地局及び／または通信システム、例えばホストに導かれる。様々な態様はまた、機械、例えばコンピュータ、読み取り可能媒体、例えばＲＯＭ、ＲＡＭ、ＣＤ、ハードディスク等に導かれる。それは、方法の１つ以上のステップを実現するために機械を制御するための機械読み取り可能命令を含む。
【０１１６】
様々な態様において、ここで記述されたノードは、１つ以上の方法に対応するステップ、例えば、信号を受信すること、興味のあるキャリアのために最良の接続を決定すること、現在のアタッチメントポイントのためにメトリックを示すサービスレベルを計算すること、代わりのアタッチメントポイントのためにメトリックを示すサービスレベルを計算すること、ハンドオフ決定をすること、を実行するための１つ以上のモジュールを用いて実現される。このように、いくつかの態様において、様々な特徴は、モジュールを用いて実現される。このようなモジュールは、ソフトウェア、ハードウェアまたはソフトウェア及びハードウェアの組み合わせを用いて実現されることができる。上述された方法または方法のステップの多くは、例えば１つ以上のノードにおいて、上述された方法の全てまたは部分を実現するために、機械、例えば付加的なハードウェアを備えたまたは備えていない汎用コンピュータを制御するために、メモリデバイス、例えばＲＡＭ、フロッピー（登録商標）ディスク等のような機械読み取り可能媒体に含まれる、ソフトウェアのような、機械実行可能命令を用いて実現されることができる。代替的に、数ある中で、様々な態様は、機械、例えばプロセッサ及び関連づけられたハードウェアに上述された方法のステップの１つ以上を実行させるための機械実行可能命令を含む機械読み取り可能媒体に導かれる。いくつかの態様は、発明の１つ以上の方法の１つ、多数、または全てを実現するように構成されたプロセッサを含むデバイス、例えば通信デバイスに導かれる。
【０１１７】
いくつかの態様において、１つ以上のデバイス、例えば無線端末のような通信デバイスのプロセッサ、例えばＣＰＵは、通信デバイスによって実行されるのと同じ程度に記述された方法のステップを実行するように構成される。よって、全てではないがいくつかの態様は、プロセッサが含まれるデバイスによって実行される様々な記述された方法のステップの各々に対応するモジュールを含むプロセッサとともに、デバイス、例えば通信デバイスに導かれる。全てではないがいくつかの態様において、デバイス、例えば通信デバイスは、プロセッサが含まれるデバイスによって実行される様々な記述された方法のステップの各々に対応するモジュールを含む。モジュールは、ソフトウェア及び／またはハードウェアを用いて実現されることができる。
【０１１８】
ＯＦＭＤシステムのコンテキストにおいて記述されたが、様々な態様の方法及び装置の少なくともいくつかは、多くの非ＯＦＤＭ及び／非セルラーシステムを含む通信システムの広い範囲に適用可能である。
【０１１９】
上述された様々な態様の方法及び装置上の多数の付加的なバリエーションは、上の記載を考慮して当業者に明白であろう。このようなバリエーションは、その範囲内で考えられるべきである。方法及び装置は、符号分割多元接続（ＣＤＭＡ）、直交周波数分割多重（ＯＦＤＭ）、及び／またはアクセスノード及びモバイルノードの間で無線通信リンクを提供するために用いられることができる通信技術の様々他のタイプとともに用いられることができ、様々な態様において用いられる。いくつかの態様において、アクセスノードは、ＯＦＤＭ及び／またはＣＤＭＡを用いてモバイル端末との通信リンクを確立する基地局として実現される。様々な態様において、モバイルノードは、方法を実現するために、ノードブックコンピュータ、パーソナルデータアシスタント（ＰＤＡ）、または受信機／送信機回路及びロジック及び／またはルーチンを含む他のポータブルデバイスとして実現される。
以下に、本出願時の特許請求の範囲に記載された発明を付記する。
〔１〕アクセス端末においてハンドオフ決定をする方法であって、
第１の関数を用いて第１のアタッチメントポイントに対応する現在の接続に対応するメトリックを示す第１のサービスレベルを計算することと、
前記第１の関数とは異なる第２の関数を用いて第２のアタッチメントポイントに対応する代わりの接続に対応するメトリックを示す第２のサービスレベルを計算することと、
メトリックを示す前記第１及び第２のサービスレベルに基づいてハンドオフ決定をすることと
を具備する方法。
〔２〕メトリックを示す前記第１及び第２のサービスレベルを計算することは、それぞれ前記第１及び第２のアタッチメントポイントに対応するローディングファクタ情報の関数として実行される、前記〔１〕に記載の方法。
〔３〕メトリックを示す前記第２のサービスレベルを計算するために用いられる前記第２の関数は、前記第２のアタッチメントポイントに対するハンドオフが生じる場合に前記第２のアタッチメントポイント上に置かれる付加的なロードに対応する係数を含む、前記〔２〕に記載の方法。
〔４〕アタッチメントポイントから電力参照信号を受信することと、
キャリア毎に、前記対応するキャリアを用いて最良の接続が確立されることができる前記アタッチメントポイントを識別すること
を更に具備する、前記〔３〕に記載の方法。
〔５〕キャリアに対応する前記電力参照信号は、同じ電力レベルで送信され、前記最良の接続が確立されることができる前記アタッチメントポイントを識別することは、前記キャリアに対応する最も強い電力参照レベル信号が受信された前記アタッチメントポイントを選択することを含む、前記〔４〕に記載の方法。
〔６〕キャリアに対応する前記電力参照信号は、異なる既知の電力レベルで送信され、
前記最良の接続が確立されることができる前記アタッチメントポイントを識別することは、前記アタッチメントポイントから受信された前記電力参照レベル信号の強さ及び異なるアタッチメントポイントに対応する既知の送信電力レベル間の相違の関数として前記アタッチメントポイントを選択することを含む、前記〔４〕に記載の方法。
〔７〕電力参照レベル信号が受信された各々のキャリアに対して、メトリックを示すサービスレベルは、前記最良の接続を有することとして識別された前記対応するアタッチメントポイントのために計算される、前記〔４〕に記載の方法。
〔８〕メトリックを示すサービスレベルは、前記最良の接続を有することとして識別されないアタッチメントポイントのために計算されない、前記〔７〕に記載の方法。
〔９〕前記ローディングファクタ情報は、前記対応する接続を用いて多数のユーザを示す、前記〔３〕に記載の方法。
〔１０〕前記ローディングファクタ情報は、前記アタッチメントポイントの総リンク共有重みを含む、前記〔３〕に記載の方法。
〔１１〕前記第１及び第２の関数は、ハンドオフ決定がされている前記デバイスに対応するリンク共有重みの関数である、前記〔１０〕に記載の方法。
〔１２〕第１の関数を用いて第１のアタッチメントポイントに対応する現在の接続に対応するメトリックを示す第１のサービスレベルを計算するためのメトリックを示す第１のサービスレベル計算モジュールと、
前記第１の関数とは異なる第２の関数を用いて第２のアタッチメントポイントに対応する代わりの接続に対応するメトリックを示す第２のサービスレベルを計算するためのメトリックを示す第２のサービスレベル計算モジュールと、
メトリックを示す前記第１及び第２のサービスレベルに基づいてハンドオフ決定をするためのハンドオフ決定モジュールと
を具備するアクセス端末。
〔１３〕メトリックを示す前記第１のサービスレベル計算モジュールは、前記第１のアタッチメントポイントに対応するローディングファクタ情報の関数としてメトリックを示す前記第１のサービスレベルを計算し、
メトリックを示す前記第２のサービスレベル計算モジュールは、前記第２のアタッチメントポイントに対応するローディングファクタ情報の関数としてメトリックを示す第２のサービスレベルを計算する
前記〔１２〕に記載のアクセス端末。
〔１４〕メトリックを示す前記第２のサービスレベルを計算するために用いられる前記第２の関数は、前記第２のアタッチメントポイントに対するハンドオフが生じる場合に前記第２のアタッチメントポイント上に置かれる付加的なロードに対応する係数を含む、前記〔１３〕に記載のアクセス端末。
〔１５〕アタッチメントポイントから電力参照信号を受信するための無線受信機モジュールと、
キャリア毎に、前記対応するキャリアを用いて最良の接続が確立されることができる前記アタッチメントポイントを識別するための最良の接続識別モジュールと
を更に備える、前記〔１４〕に記載のアクセス端末。
〔１６〕キャリアに対応する前記電力参照信号は、前記同じ電力レベルで送信され、
前記最良の接続識別モジュールは、前記キャリアに対応する最も強い電力参照レベル信号が受信された前記アタッチメントポイントを選択するための受信された電力ベースの選択サブモジュールを含む、
前記〔１５〕に記載のアクセス端末。
〔１７〕キャリアに対応する前記電力参照信号は、異なる既知の電力レベルで送信され、前記最良の接続識別モジュールは、前記アタッチメントポイントから受信された前記電力参照レベル信号の強さ及び異なるアタッチメントポイントに対応する既知の送信電力レベルの間の相違の関数として前記ＡＰを選択するための受信された電力ベースの選択サブモジュールを含む、前記〔１５〕に記載のアクセス端末。
〔１８〕電力参照レベル信号が受信された各々のキャリアに対して、メトリックを示す前記第１のサービスレベル計算モジュール及びメトリックを示す前記第２のサービス計算モジュールの少なくとも１つは、前記最良の接続を有することとして識別された前記対応するアタッチメントポイントのためにメトリックを示すサービスレベルを計算する、前記〔１５〕に記載のアクセス端末。
〔１９〕メトリックを示す前記第２のサービスレベル計算モジュールは、前記最良の接続を有することとして識別されないアタッチメントポイントのためにメトリックを示すサービスレベルを計算しない、前記〔１８〕に記載のアクセス端末。
〔２０〕前記ローディングファクタ情報は、前記対応する接続を用いる多数のユーザを示し、
前記アクセス端末は、受信されたブロードキャスト信号からローディングファクタ情報を回復するためのローディングファクタ回復モジュールを更に具備する、
前記〔１４〕に記載のアクセス端末。
〔２１〕前記ローディングファクタ情報は、前記アタッチメントポイントの総リンク共有重みを示し、
前記アクセス端末は、受信されたブロードキャスト信号からローディングファクタ情報を回復するためのローディングファクタ回復モジュールを更に具備する、
前記〔１４〕に記載のアクセス端末。
〔２２〕前記第１及び第２の関数は、ハンドオフ決定がされている前記デバイスに対応するリンク共通重みの関数である、前記〔２１〕に記載のアクセス端末。
〔２３〕第１の関数を用いて第１のアタッチメントポイントに対応する現在の接続に対応するメトリックを示す第１のサービスレベルを計算するためのメトリックを示す第１のサービスレベル計算手段と、
前記第１の関数とは異なる第２の関数を用いて第２のアタッチメントポイントに対応する代わりの接続に対応するメトリックを示す第２のサービスレベルを計算するためのメトリックを示す第２のサービスレベル計算手段と、
メトリックを示す第１及び第２のサービスレベルに基づいてハンドオフ決定をするためのハンドオフ決定手段と
を具備するアクセス端末。
〔２４〕メトリックを示す前記第１のサービスレベル計算手段は、前記第１のアタッチメントポイントに対応するローディングファクタ情報の関数としてメトリックを示す前記第１のサービスレベルを計算し、
メトリックを示す前記第２のサービスレベルは、前記第２のアタッチメントポイントに対応するローディングファクタ情報の関数としてメトリックを示す前記第２のサービスレベルを計算する、
前記〔２３〕に記載のアクセス端末。
〔２５〕メトリックを示す前記第２のサービスレベルを計算するために用いられる前記第２の関数は、前記第２のアタッチメントポイントに対するハンドオフが生じる場合に前記第２のアタッチメントポイント上に置かれる付加的なロードに対応する係数を含む、前記〔２４〕に記載のアクセス端末。
〔２６〕アタッチメントポイントから電力参照信号を受信するための無線受信機手段と、
キャリア毎に、最良の接続が前記対応するキャリアを用いて確立されることができる前記アタッチメントポイントを識別するための最良の接続識別手段と
を更に具備する、前記〔２５〕に記載のアクセス端末。
〔２７〕コンピュータに、第１の関数を用いて第１のアタッチメントポイントに対応する現在の接続に対応するメトリックを示す第１のサービスレベルを計算させるためのコードと、
コンピュータに、前記第１の関数とは異なる第２の関数を用いて第２のアタッチメントポイントに対応する代わりの接続に対応するメトリックを示す第２のサービスレベルを計算させるためのコードと、
コンピュータに、メトリックを示す前記第１及び第２のサービスレベルに基づいてハンドオフ決定をさせるためのコードと
を備えるコンピュータ読み取り可能媒体を具備するコンピュータプログラム製品。
〔２８〕メトリックを示す前記第１及び第２のサービスレベルを計算することは、それぞれ前記第１及び第２のアタッチメントポイントに対応するローディングファクタ情報の関数として実行される、前記〔２７〕に記載のコンピュータプログラム製品。
〔２９〕メトリックを示す前記第２のサービスレベルを計算するために用いられる前記第２の関数は、前記第２のアタッチメントポイントに対するハンドオフが生じる場合に前記第２のアタッチメントポイント上に置かれる付加的なロードに対応する係数を含む、前記〔２８〕に記載のコンピュータプログラム製品。
〔３０〕前記コンピュータ読み取り可能媒体は、
コンピュータに、アタッチメントポイントから電力参照信号を受信させるためのコードと、
コンピュータに、キャリア毎に、前記対応するキャリアを用いて最良の接続が確立されることができる前記アタッチメントポイントを識別させるためのコードと
を更に備える、前記〔２９〕に記載のコンピュータプログラム製品。
〔３１〕第１の関数を用いて第１のアタッチメントポイントに対応する現在の接続に対応するメトリックを示す第１のサービスレベルを計算し、
前記第１の関数とは異なる第２の関数を用いて第２のアタッチメントポイントに対応する代わりの接続に対応するメトリックを示す第２のサービスレベルを計算し、
メトリックを示す前記第１及び第２のサービスレベルに基づいてハンドオフ決定をする
ように構成されたプロセッサを具備する装置。
〔３２〕メトリックを示す前記第１及び第２のサービスレベルを計算することは、それぞれ前記第１及び第２のアタッチメントポイントに対応するローディングファクタ情報の関数として実行される、前記〔３１〕に記載の装置。
〔３３〕メトリックを示す第２のサービスレベルを計算するために用いられる前記第２の関数は、前記第２のアタッチメントポイントに対するハンドオフが生じる場合に前記第２のアタッチメントポイント上に置かれる付加的なロードに対応する係数を含む、前記〔３２〕に記載の装置。
〔３４〕前記プロセッサは、
アタッチメントポイントから電力参照信号を受信し、
キャリア毎に、前記対応するキャリアを用いて最良の接続が確立されることができる前記アタッチメントポイントを識別する
ように更に構成される、前記〔３３〕に記載の装置。
【図１】
0005657608.tif 000017
【図２】
0005657608.tif 000018
【図３】
0005657608.tif 000019
【図４】
0005657608.tif 000020
【図５】
0005657608.tif 000021
【図６】
0005657608.tif 000022
【図７】
0005657608.tif 000023
【図８】
0005657608.tif 000024
【図９】
0005657608.tif 000025